(57)【要約】  従来の映像監視システムの映像表示装置は、映像データの監視をリアルタイムに行うためには、映像表示装置に接続される撮像装置の台数に相当する数、望ましくは接続可能な撮像装置の最大台数あるいは表示可能な最大個数の符号化映像データを復号する能力をあらかじめ備る必要があった。本発明によれば、映像記録装置に記録された符号化映像データを読み出して映像表示装置に表示する際に、映像表示装置は映像記録装置から読み出された符号化映像データを撮像装置が復号した映像データとして受信するので、映像表示装置が復号する能力を備える必要がなく、撮像装置の接続台数によらず、構成が簡素化され、低コスト化を図ることができる。
2013076915.tif 000002
【特許請求の範囲】
【請求項１】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像記録装置に送信し、前記映像記録装置から前記通信用符号化映像データを受信するとともに、通信用映像データを映像表示装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置。
【請求項２】
前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１記載の撮像装置。
【請求項３】
前記撮像部が生成した映像データの解像度を変換する記録用解像度変換部を備え、
前記符号化部は、前記記録用解像度変換部が解像度を変換した映像データを符号化する
ことを特徴とする請求項１記載の撮像装置。
【請求項４】
前記撮像部が生成した映像データの解像度を変換する表示用解像度変換部を備え、
前記映像生成部は、前記表示用解像度変換部が解像度を変換した映像データを前記通信用映像データに変換することを特徴とする請求項１記載の撮像装置。
【請求項５】
前記映像選択部が選択した映像データの解像度を変換する表示用解像度変換部を備え、
前記映像生成部は、前記表示用解像度変換部が解像度を変換した映像データを前記通信用映像データに変換することを特徴とする請求項２記載の撮像装置。
【請求項６】
撮像装置から通信用符号化映像データを受信するとともに、読み出された通信用符号化映像データを送信先として特定された撮像装置に送信する通信部と、
前記受信した通信用符号化映像データを記録し、映像表示装置から要求された通信用符号化映像データを読み出す記録部と、
前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部と
を備える映像記録装置。
【請求項７】
前記制御部は、前記記録部から読み出す通信用符号化映像データの送信元の撮像装置を送信先の撮像装置として特定することを特徴とする請求項６記載の映像記録装置。
【請求項８】
前記制御部は、前記記録部から読み出す通信用符号化映像データの送信元とは異なる撮像装置を送信先の撮像装置として特定することを特徴とする請求項６記載の映像記録装置。
【請求項９】
撮像装置から通信用映像データを受信する通信部と、
前記受信した通信用映像データから得た映像データを表示する表示部と、
映像記録装置が生成した通信用符号化映像データの蓄積情報に基づいて、入力手段を介して指定された所望の映像データに対応する通信用符号化映像データを前記映像記録装置に要求する制御部と
を備える映像表示装置。
【請求項１０】
撮像装置から通信用符号化映像データと通信用映像データとを受信するとともに、読み出された通信用符号化映像データを送信先として特定された撮像装置に送信する通信部と、
前記受信した通信用符号化映像データを記録し、記録された通信用符号化映像データを読み出す記録部と、
前記受信した通信用映像データから得た映像データを表示する表示部と、
前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に読み出させる制御部と
を備える映像監視装置。
【請求項１１】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像記録装置に送信し、前記映像記録装置から前記通信用符号化映像データを受信するとともに、通信用映像データを映像表示装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置と、
前記撮像装置から通信用符号化映像データを受信するとともに、読み出された通信用符号化映像データを送信先として特定された撮像装置に送信する通信部と、
前記受信した通信用符号化映像データを記録し、前記映像表示装置から要求された通信用符号化映像データを読み出す記録部と、
前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部と
を備える前記映像記録装置と、
前記撮像装置から通信用映像データを受信する通信部と、
前記受信した通信用映像データから得た映像データを表示する表示部と、
前記映像記録装置が生成した通信用符号化映像データの蓄積情報に基づいて、入力手段を介して指定された所望の映像データに対応する通信用符号化映像データを前記映像記録装置に要求する制御部と
を備える前記映像表示装置とから構成される映像監視システム。
【請求項１２】
前記撮像装置は、前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１１記載の映像監視システム。
【請求項１３】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像監視装置に送信し、前記映像監視装置から前記通信用符号化映像データを受信するとともに、通信用映像データを前記映像監視装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置と、
前記撮像装置から通信用符号化映像データと通信用映像データとを受信するとともに、読み出された通信用符号化映像データを送信先として特定された撮像装置に送信する通信部と、
前記受信した通信用符号化映像データを記録し、記録された通信用符号化映像データを読み出す記録部と、
前記受信した通信用映像データから得た映像データを表示する表示部と、
前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に要求する制御部と
を備える映像監視装置とから構成される映像監視システム。
【請求項１４】
前記撮像装置は、前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１３記載の映像監視システム。
【請求項１５】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像記録装置に送信するステップと、
前記映像記録装置が、前記撮像装置から通信用符号化映像データを受信するステップと、
前記受信した通信用符号化映像データを記録するステップと、
前記記録した通信用符号化映像データの蓄積情報を生成するステップと、
映像表示装置が、前記映像記録装置が生成した通信用符号化映像データの蓄積情報に基づいて、入力手段を介して指定された所望の映像データに対応する通信用符号化映像データを前記映像記録装置に要求するステップと、
前記映像記録装置が、前記蓄積情報に基づいて、前記読み出された通信用符号化映像データを送信する送信先の撮像装置を特定し、前記映像表示装置から要求された通信用符号化映像データを読み出すステップと、
前記読み出した通信用符号化映像データを前記送信先として特定された撮像装置に送信するステップと、
前記撮像装置が、前記映像記録装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを前記通信用映像データに変換するステップと、
前記変換した通信用映像データを前記映像表示装置へ送信するステップと、
前記映像表示装置が、前記撮像装置から通信用映像データを受信するステップと、
前記受信した通信用映像データから得た映像データを表示するステップと
を有する映像監視方法。
【請求項１６】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像監視装置に送信するステップと、
前記映像監視装置が、前記撮像装置から通信用符号化映像データを受信するステップと、
前記受信した通信用符号化映像データを記録するステップと、
前記記録した通信用符号化映像データの蓄積情報を生成するステップと、
前記生成した蓄積情報に基づいて、入力手段を介して指定された所望の映像データに対応する通信用符号化映像データを送信する送信先の撮像装置を特定し、前記指定された所望の映像データに対応する通信用符号化映像データを読み出すステップと、
前記読み出した通信用符号化映像データを前記送信先として特定された撮像装置に送信するステップと、
前記撮像装置が、前記映像監視装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを前記通信用映像データに変換するステップと、
前記変換した通信用映像データを前記映像監視装置へ送信するステップと、
前記映像監視装置が、前記撮像装置から通信用映像データを受信するステップと、
前記受信した通信用映像データから得た映像データを表示するステップと
を有する映像監視方法。
【発明の詳細な説明】
【技術分野】
【０００１】
この発明は、撮像装置、映像記録装置、映像表示装置、映像監視装置、映像監視システムおよび映像監視方法に関する。
【背景技術】
【０００２】
映像を撮像して映像データを出力するする撮像装置、例えばカメラ端末と、この撮像装置が出力した映像データを通信網（ネットワーク）を介して伝送し、受信した映像データを記録する映像記録装置（レコーダ）と、また受信した映像データを表示する映像表示装置（ビューア）とから構成された映像監視システムがある。映像監視システムでは、接続される撮像装置は一つだけとは限らず、複数であることも多い。よって、映像記録装置に記録される映像データは、一般にデータ量が大きいので、符号化（圧縮）した符号化映像データとして記録するのが効率的である。【０００３】
映像データの符号化は、映像データを撮像して送信する撮像装置が行う場合もあれば、受信して記録する映像記録装置が行う場合もある。撮像装置が映像データを符号化してから送信することで、映像記録装置への記録だけでなく、通信路上でも効率的な伝送が実現できる。【０００４】
映像表示装置は、撮像装置から直接受信した符号化映像データまたは映像記録装置へ一度記録されて読み出した符号化映像データを復号（伸長）して映像データに戻し、表示する（例えば特許文献１）。
【先行技術文献】
【特許文献】
【０００５】
【特許文献１】特開２０１０−０６８１８９号公報
【発明の概要】
【発明が解決しようとする課題】
【０００６】
従来の映像監視システムの映像表示装置は、映像データの監視をリアルタイムに行うためには、映像表示装置に接続される撮像装置の台数に相当する数、望ましくは接続可能な撮像装置の最大台数あるいは表示可能な最大個数の符号化映像データを復号する能力をあらかじめ備えなくてはならず、大規模な構成になるという課題があった。また、映像表示装置に接続する撮像装置の台数が少ない場合は、復号能力に過剰なコストを投資することとなって、低コスト化を図ることが困難であった。【０００７】
この発明は、上記のような問題を解決するためになされたもので、撮像装置が映像データを符号化して符号化映像データを送信するだけではなく、受信した符号化映像データを復号した映像データを送信する構成にすることで、映像表示装置への復号能力の実装を不要とした構成に簡素化し、低コスト化することを目的とする。
【課題を解決するための手段】
【０００８】
この発明に係る撮像装置は、映像を取り込み、映像データを生成する撮像部と、前記撮像部が生成した映像データを符号化し、符号化映像データを生成する符号化部と、前記生成した符号化映像データを通信用符号化映像データに変換するデータ生成部と、前記変換した通信用符号化映像データを映像記録装置に送信し、前記映像記録装置から前記通信用符号化映像データを受信するとともに、通信用映像データを映像表示装置へ送信する通信部と、前記受信した通信用符号化映像データを符号化映像データに逆変換するデータ復元部と、前記逆変換した符号化映像データを復号して映像データを生成する復号部と、前記復号部が生成した映像データを前記通信用映像データに変換する映像生成部とを備えた。【０００９】
また、この発明に係る映像記録装置は、撮像装置から通信用符号化映像データを受信するとともに、読み出された通信用符号化映像データを送信先として特定された撮像装置に送信する通信部と、前記受信した通信用符号化映像データを記録し、映像表示装置から要求された通信用符号化映像データを読み出す記録部と、前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部とを備えた。【００１０】
また、この発明に係る映像監視システム映像表示装置は、撮像装置から通信用映像データを受信する通信部と、前記受信した通信用映像データから得た映像データを表示する表示部と、映像記録装置が生成した通信用符号化映像データの蓄積情報に基づいて、入力手段を介して指定された所望の映像データに対応する通信用符号化映像データを前記映像記録装置に要求する制御部とを備えた。【００１１】
また、この発明に係る映像監視装置は、撮像装置から通信用符号化映像データと通信用映像データとを受信するとともに、読み出された通信用符号化映像データを送信先として特定された撮像装置に送信する通信部と、前記受信した通信用符号化映像データを記録し、記録された通信用符号化映像データを読み出す記録部と、前記受信した通信用映像データから得た映像データを表示する表示部と、前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に読み出させる制御部とを備えた。【００１２】
また、この発明に係る映像監視システムは、映像を取り込み、映像データを生成する撮像部と、前記撮像部が生成した映像データを符号化し、符号化映像データを生成する符号化部と、前記生成した符号化映像データを通信用符号化映像データに変換するデータ生成部と、前記変換した通信用符号化映像データを映像記録装置に送信し、前記映像記録装置から前記通信用符号化映像データを受信するとともに、通信用映像データを映像表示装置へ送信する通信部と、前記受信した通信用符号化映像データを符号化映像データに逆変換するデータ復元部と、前記逆変換した符号化映像データを復号して映像データを生成する復号部と、前記復号部が生成した映像データを前記通信用映像データに変換する映像生成部とを備える撮像装置と、前記撮像装置から通信用符号化映像データを受信するとともに、読み出された通信用符号化映像データを送信先として特定された撮像装置に送信する通信部と、前記受信した通信用符号化映像データを記録し、前記映像表示装置から要求された通信用符号化映像データを読み出す記録部と、前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部とを備える前記映像記録装置と、前記撮像装置から通信用映像データを受信する通信部と、前記受信した通信用映像データから得た映像データを表示する表示部と、前記映像記録装置が生成した通信用符号化映像データの蓄積情報に基づいて、入力手段を介して指定された所望の映像データに対応する通信用符号化映像データを前記映像記録装置に要求する制御部とを備える前記映像表示装置とから構成される。【００１３】
また、この発明に係る映像監視システムは、映像を取り込み、映像データを生成する撮像部と、前記撮像部が生成した映像データを符号化し、符号化映像データを生成する符号化部と、前記生成した符号化映像データを通信用符号化映像データに変換するデータ生成部と、前記変換した通信用符号化映像データを映像監視装置に送信し、前記映像監視装置から前記通信用符号化映像データを受信するとともに、通信用映像データを前記映像監視装置へ送信する通信部と、前記受信した通信用符号化映像データを符号化映像データに逆変換するデータ復元部と、前記逆変換した符号化映像データを復号して映像データを生成する復号部と、前記復号部が生成した映像データを前記通信用映像データに変換する映像生成部とを備える撮像装置と、前記撮像装置から通信用符号化映像データと通信用映像データとを受信するとともに、読み出された通信用符号化映像データを送信先として特定された撮像装置に送信する通信部と、前記受信した通信用符号化映像データを記録し、記録された通信用符号化映像データを読み出す記録部と、前記受信した通信用映像データから得た映像データを表示する表示部と、前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に要求する制御部とを備える映像監視装置とから構成される。
【発明の効果】
【００１４】
この発明に係る映像監視システムによれば、映像記録装置に記録された符号化映像データを読み出して映像表示装置に表示する際に、映像表示装置は映像記録装置から読み出された符号化映像データを撮像装置が復号した映像データとして受信するので、映像表示装置が復号する能力を備える必要がなく、撮像装置の接続台数によらず、構成が簡素化され、低コスト化を図ることができる。
【図面の簡単な説明】
【００１５】
【図１】この発明の実施の形態１に係る映像監視システムの一例を示す接続図である。
【図２】この発明の実施の形態１に係る映像監視システムに接続される撮像装置、映像記録装置、映像表示装置の一例を示すブロック構成図である。
【図３】この発明の実施の形態１に係る映像監視システムの撮像装置で撮像した映像を映像記録装置に記録するまでの動作の一例を示すフローチャートである。
【図４】この発明の実施の形態１に係る映像監視システムの撮像装置で撮像した映像を映像記録装置を介することなく映像表示装置に表示するまでの動作の一例を示すフローチャートである。
【図５】この発明の実施の形態１に係る映像監視システムの映像記録装置に記録した映像を映像表示装置で表示するまでの動作の一例を示すフローチャートである。
【図６】この発明の実施の形態２に係る映像監視システムの一例を示す接続図である。
【図７】この発明の実施の形態２に係る映像監視システムに接続される撮像装置、映像記録表示装置(映像監視装置)の一例を示すブロック構成図である。
【図８】この発明の実施の形態３に係る映像監視システムに接続される撮像装置、映像記録装置、映像表示装置の一例を示すブロック構成図である。
【発明を実施するための形態】
【００１６】
この発明に係る映像監視システムは、映像記録装置が記録した符号化映像データを撮像装置へ送信し、撮像装置が映像記録装置から受信した符号化映像データを復号して映像データに戻して映像表示装置に送信し、映像表示装置が撮像装置から受信した映像データを表示するものである。以下に、この発明に係る映像監視システムの一例について説明する。
【００１７】
実施の形態１．
この発明の実施の形態１では、撮像装置と、映像記録装置と、映像表示装置とから構成される映像監視システムについて説明する。
【００１８】
図１は、この発明の実施の形態１に係る映像監視システムの一例を示す接続図である。図において、第１の撮像装置（撮像装置１００−１）から第Ｎの撮像装置（撮像装置１００−Ｎ）で示される複数の撮像装置がネットワークを介して映像記録装置２００、映像表示装置３００に接続されている。各撮像装置１００−ｎは、撮像した映像データを符号化（圧縮）した符号化映像データを映像記録装置に送信して記録させ、また映像記録装置から読み出された符号化映像データを受信する。また、各撮像装置１００−ｎは、撮像した映像データと映像記録装置から受信した符号化映像データを復号（伸長）した映像データとを映像表示装置に送信する。映像記録装置２００は、撮像装置から符号化映像データを受信して記録し、要求された符号化映像データを読み出して撮像装置に送信する。映像表示装置３００は、復号が不要な形式で、撮像装置から受信した映像データ、すなわち撮像された映像データと復号された映像データとを表示する。
【００１９】
映像データおよび符号化映像データには、少なくとも撮像した撮像装置の情報および時刻情報を付加情報として含む。映像表示装置は、映像記録装置から符号化映像データの付加情報を蓄積情報として得て、蓄積情報に基づいて、例えばユーザインタフェース（ＵＩ）等の入力手段を介すことで所望の映像データを指定して映像記録装置へ読み出しを要求すると、映像記録装置は、要求された映像データに対応する符号化映像データを読み出して、例えばその映像データを撮像した撮像装置へ送信する。撮像装置は、映像記録装置から受信した符号化映像データを映像データに復号して、映像表示装置へ送信する。映像表示装置は、映像記録装置に読み出しを要求した映像データを撮像装置を介して受信して得ることができる。蓄積情報および読出要求の入出力は、映像記録装置と映像表示装置の間を直接接続してもよいし、またネットワークを介して接続してもよい。なお、映像記録装置および映像表示装置には、複数の撮像装置が接続されるものとして示しているが、単一の撮像装置（Ｎ＝１）が接続されて運用されても構わない。
【００２０】
なお、撮像装置１００、映像記録装置２００間の符号化映像データ、撮像装置１００と映像記録装置３００間の映像データは、接続されたネットワーク上では通信に適した形式に変換されて送信、受信されているものとする。以下では、送受信される映像データを通信用映像データ、送受信される符号化映像データを通信用符号化映像データという。
【００２１】
図２は、この発明の実施の形態１に係る映像監視システムに接続される撮像装置、映像記録装置、映像表示装置の一例を示すブロック構成図である。この図２では、説明上、撮像装置１台の接続構成として示し、図１の説明図に示した撮像装置、映像記録装置、映像表示装置の間のネットワークは略記している。図において、撮像装置１００は、撮像部（撮像手段）１０１、符号化部（符号化手段）１０２、データ生成部（データ生成手段）１０３、通信部（通信手段）１０４、データ復元部（データ復元手段）１０５、復号部（復号手段）１０６、映像選択部（映像選択手段）１０７および映像生成部（映像生成手段）１０８から構成される。また、映像記録装置２００は、通信部（通信手段）２０１、記録部（記録手段）２０２および制御部（制御手段）２０３から構成され、映像表示装置３００は、通信部（通信手段）３０１、表示部（表示手段）３０２および制御部（制御手段）３０３から構成される。
【００２２】
撮像装置１００の撮像部１０１は、光学系（例えば、レンズ。図示せず。）を介して映像を取り込み、映像データを生成する。符号化部１０２は、撮像部１０１が生成した映像データを符号化し、符号化映像データを生成する。データ生成部１０３は、符号化部１０２が生成した符号化映像データを通信に適した通信用符号化映像データに変換する。通信部１０４は、データ生成部１０３が変換した通信用符号化映像データを映像記録装置２００へ送信するとともに、後述の映像生成部１０８が変換した通信用映像データを映像表示装置３００へ送信し、また映像記録装置２００から通信用符号化映像データを受信する。データ復元部１０５は、通信部１０４が映像記録装置２００から受信した通信用符号化映像データを符号化映像データに逆変換する。復号部１０６は、データ復元部１０５が逆変換した符号化映像データを映像データに復号する。映像選択部１０７は、復号部１０６が復号した映像データと撮像部１０１が生成した映像データのうち、映像表示装置が表示すべき映像データを選択する。映像生成部１０８は、映像選択部１０７が選択した映像データを通信に適した通信用映像データに変換する。通信部１０４は、映像生成部１０８が変換した通信用映像データを映像表示装置３００へ送信させる。
【００２３】
映像記録装置２００の通信部２０１は、記録すべき通信用符号化映像データを撮像装置１００から受信し、また映像表示装置３００から表示すべく読み出しを要求された映像データに対応する通信用符号化映像データを撮像装置１００へ送信する。記録部２０２は、通信部２０１が受信した記録すべき通信用符号化映像データを記録し、また表示すべく要求された映像データに対応する通信用符号化映像データを通信部２０１へ読み出す。制御部２０３は、記録部２０２に記録した通信用符号化映像データの付加情報から蓄積情報を生成し、蓄積情報に基づいて、表示すべく要求された映像データに対応する通信用符号化映像データを送信する送信先の撮像装置を特定し、表示すべく要求された映像データに対応する通信用符号化映像データを記録部２０２に読み出させ、読み出した通信用符号化映像データを送信先として特定した撮像装置１００に送信するように制御する。なお、蓄積情報は、映像表示装置３００に送信してもよいし、映像表示装置３００が参照してくるようにしてもよい。
【００２４】
映像表示装置３００の通信部３０１は、表示すべく読み出しを要求した映像データに対応する通信用映像データを撮像装置１００から受信する。表示部３０２は、通信部３０１が受信した通信用映像データから得た映像データを表示する。制御部３０３は、映像記録装置２００に記録された通信用符号化映像データの蓄積情報に基づいて、入力手段であるユーザインタフェース（ＵＩ）から指定された所望の映像データに対応する通信用符号化映像データを映像記録装置２００に読み出しを要求する（以下、読み出しの要求を読出要求ともいう）。入力手段であるユーザインタフェース（ＵＩ）は、例えば、映像記録装置２００で生成された蓄積情報などから、撮像装置と映像データの撮像時間の対応リスト、また映像データを代表するサムネール画像やダイジェスト映像を含めて示されたリスト中から所望の映像データを選択させるものであってもよい。
【００２５】
なお、図２では、映像記録装置２００から映像表示装置３００へ送信する蓄積情報、映像表示装置３００から映像記録装置２００へ送信する読出要求は、制御部２０３、３０３間を破線で示して直接結んでいるが、通信路を経由する場合は通信部２０１、３０１を介して交換されてもよい。
【００２６】
なお、撮像装置１００の通信部１０４、映像記録装置２００の通信部２０１、映像表示装置３００の通信部３０１は、帯域十分かつ高速伝送可能なネットワークを介して、同時に複数の通信用映像データまたは複数の通信用符号化映像データを送受信することができるものとする。
【００２７】
撮像装置１００の映像選択部１０７は、復号部１０６が復号した映像データと撮像部１０１が生成した映像データのうち、映像表示装置３００が表示すべき映像データを選択する。例えば、映像表示装置３００が表示を必要として映像記録装置２００に記録された映像データを要求することで、復号部１０６が復号した映像データが入力されるとすれば、撮像部１０１が生成した映像データよりも復号部１０６が復号した映像データを優先して選択するようにしてもよい。また、例えば、映像表示装置３００に、映像記録装置２００から記録済みの通信用符号映像データを読み出して、復号部１０６が復号した映像データを表示するか否か、また、撮像部１０１が生成した映像データを表示するか否かの組合せの出力指定が可能となり、両方の映像データを表示すべく選択して送信させるようにしてもよい。なお、撮像装置１００の撮像部１０１が撮像した映像データは、常に選択されて映像表示装置３００に常時表示できるように送信してもよい。
【００２８】
なお、撮像装置１００は、映像選択部１０７を備えずに、撮像装置１００から送信される映像表示装置３００が表示すべき映像データを復号部１０６が復号した映像データのみとした構成の撮像装置としてもよい。すなわち、撮像装置１００は、撮像部１０１が撮像した映像データを映像表示装置３００にそのまま送信することはしない構成をとる変形例があってもよい。
【００２９】
また、復号部１０６が復号する映像記録装置２００から読み出された通信用符号化映像データは、この復号部１０６を実装した撮像装置と異なる撮像装置が撮像して映像記録装置２００に記録された通信用符号化映像データでも構わない。例えば、撮像端末１００の撮像部１０１が撮像したリアルタイム（時刻Ｔ０）の映像データを含めて、映像記録装置２００に記録された時刻Ｔ１、Ｔ２（≠Ｔ０、≠Ｔ１）の通信用符号化映像データに対応する映像データを同時に表示するとき、または時刻Ｔ１、Ｔ２、Ｔ３（≠Ｔ０、≠Ｔ１、≠Ｔ２）の通信用符号化映像データに対応する映像データを同時に表示するときに、他の撮像装置の復号部に復号を依頼することで、同一の撮像装置が撮像した３つの異なる時刻の映像データを映像表示装置に同時に表示させてもよい。同様に、他の撮像装置の復号部に復号を依頼することで、同一の撮像装置が撮像した映像データは３つの時刻に限らず、４つ以上の異なる時刻の映像データを映像表示装置に同時に表示させても構わない。また、復号部を実装しない撮像装置が、映像監視システムに接続されて運用されているとき、同様に他の撮像装置の復号部に復号を依頼することで、映像記録装置に記録された符号化映像データに対応する映像データを映像表示装置に再生するようにしてもよく、この映像監視システムの導入時にすべての撮像装置を必ずしも置き換えなくても運用できる可能性がある。
【００３０】
このとき、例えば、映像記録装置２００または映像表示装置３００は、接続された各撮像装置１００の復号能力を把握しておくことで、復号の依頼先とする撮像装置１００を特定するようにすればよい。映像表示装置３００が復号の依頼先とする撮像装置１００を特定する場合は、要求する映像データに対応する通信用符号化映像データとともに、送信先とする特定した撮像装置１００を指定する。
【００３１】
また、映像表示装置３００は、撮像部１０１が生成した映像データまたは復号部１０６が復号した映像データを受信するので、復号の機能を全く備えなくてもよいが、実装コストが負担にならない程度に、例えば撮像装置の最大接続数未満の復号部を備えることで、一部の符号化映像データの復号を自ら実行しても構わない。このような構成を採用することで、既存の映像記録装置、撮像装置との接続性の確保を図ってもよい。
【００３２】
次に、動作について説明する。
【００３３】
図３は、この発明の実施の形態１に係る映像監視システムの撮像装置で撮像した映像を映像記録装置に記録するまでの動作の一例を示すフローチャートである。
【００３４】
図において、ステップＳＴ１０１では、撮像装置１００の撮像部１０１は、映像を撮像して映像データを生成する。例えば、ＹＵＶやＲＧＢなどの表示色系の映像データが生成される。
【００３５】
ステップＳＴ１０２では、符号化部１０２は、撮像部１０１が撮像して生成した映像データを符号化し、符号化映像データを生成し、データ生成部１０３は、符号化部１０２が生成した符号化映像データに一定量にするグルーピングやヘッダ情報付与などの処理を施し、撮像した撮像装置の情報および時刻情報を含む付加情報を付加して、通信に適した形式の通信用符号化映像データに変換する。なお、付加情報には、映像データが映像監視の用途であることを考慮すれば、センサーや画像処理などで検知した情報、例えば動体検出情報、アラーム情報等を含めてもよい。また、符号化部１０２が映像データを符号化する方式は、例えばＪＰＥＧ、ＭＰＥＧ２、ＭＰＥＧ４、Ｈ．２６４／ＡＶＣなどの符号化方式に限らず、実装され得る符号化方式であればよく、同様に復号部１０６も符号化方式に対応して実装され得る復号方式であればよい。
【００３６】
ステップＳＴ１０３では、通信部１０４は、データ生成部１０３が変換した通信用符号化映像データを映像記録装置に送信する。
【００３７】
ステップＳＴ１０４では、映像記録装置２００の通信部２０１は、撮像装置１００の通信部１０４から送信された通信用符号化映像データを受信して、記録部２０２は、受信した通信用符号化映像データを記録媒体等、例えばハードディスク（ＨＤＤ）に記録する。
【００３８】
図４は、この発明の実施の形態１に係る映像監視システムの撮像装置で撮像した映像を映像記録装置を介することなく映像表示装置に表示するまでの動作の一例を示すフローチャートである。
【００３９】
図において、ステップＳＴ２０１では、撮像装置１００の撮像部１０１は、映像を撮像して映像データを生成する。
【００４０】
ステップＳＴ２０２では、映像選択部１０７は、撮像部１０１が撮像して生成した映像データを選択し、映像生成部１０８は、映像選択部１０７が選択した映像データを一定量にするグルーピングやヘッダ情報付与などの処理を施し、通信に適した形式の通信用映像データに変換し、通信部１０４は、映像生成部１０８が変換した通信用映像データを映像表示装置３００に送信する。
【００４１】
ステップＳＴ２０３では、映像表示装置３００の通信部３０１は、撮像装置１００から通信用映像データを受信し、表示部３０２は、受信した通信用映像データから得た映像データを表示する。
【００４２】
図５は、この発明の実施の形態１に係る映像監視システムの映像記録装置に記録した映像を映像表示装置で表示するまでの動作の一例を示すフローチャートである。
【００４３】
図において、ステップＳＴ３０１では、映像記録装置２００の制御部２０３は、撮像装置から受信して記録した通信用符号化映像データの付加情報から蓄積情報を生成する。
【００４４】
ステップＳＴ３０２では、映像表示装置３００の制御部３０３は、映像記録装置２００が生成した通信用符号化映像データの蓄積情報に基づいて、入力手段であるユーザインタフェース（ＵＩ）を介して指定した所望の映像データに対応する通信用符号化映像データを映像記録装置２００に読出要求する。
【００４５】
ステップＳＴ３０３では、映像記録装置２００の制御部２０３は、映像表示装置３００から読出要求を受信し、記録部２０２は、読出要求された映像データに対応する通信用符号化映像データを読み出し、通信部２０１は、記録部２０２が読み出した通信用符号化映像データを生成元の撮像装置１００を送信先に特定して送信する。なお、通信用符号化映像データの生成元の撮像装置１００が復号部１０６を備えない場合、また、生成元の撮像装置１００が不明の場合、復号部１０６を備えるとともに、かつ稼働中でない他の撮像装置１００を特定して通信用符号化映像データを送信してもよい。
【００４６】
ステップＳＴ３０４では、撮像装置１００の通信部１０４は、映像記録装置２００から送信された通信用符号化映像データを受信し、データ復元部１０５は、受信した通信用符号化映像データを符号化映像データに変換し、復号部１０６は、データ復元部１０５が逆変換した通信用符号化映像データを復号して映像データに変換する。
【００４７】
ステップＳＴ３０５では、映像選択部１０７は、復号部１０６に復号された映像データと撮像部１０１が撮像した映像データとから復号部１０６に復号された映像データを選択し、映像生成部１０８は、映像選択部１０７が映像データを一定量にするグルーピングやヘッダ情報付与などの処理を施し、通信に適した形式の通信用映像データに変換し、通信部１０４は、映像生成部１０８が変換した映像データを映像表示装置３００に送信する。
【００４８】
ステップＳＴ３０６では、映像表示装置３００の通信部３０１は、撮像装置１００から通信用映像データを受信し、表示部３０２は、受信した通信用映像データから得た映像データを表示する。
【００４９】
このように、この発明の実施の形態１に係る映像監視システムは、符号化映像データを映像データに復号する能力を備えた撮像装置と、記録された符号化映像データの読み出しを映像表示装置に要求されると、特定した撮像装置に送信して復号させて映像表示装置に送る映像記録装置と、表示する所望の映像データを指定されると、映像記録装置に要求し、映像データに対応する符号化映像データを映像記録装置に読み出させ、さらに撮像装置に復号させた所望の映像データを受信して表示する映像表示装置とから構成される。
【００５０】
以上、この発明の実施の形態１に係る映像監視システムによれば、映像記録装置に記録された符号化映像データを読み出して映像表示装置に表示する際に、映像表示装置は映像記録装置から読み出された符号化映像データを撮像装置が復号した映像データとして受信するので、映像表示装置が復号する能力を備える必要がなく、撮像装置の接続台数によらず、構成が簡素化され、低コスト化を図ることができる。
【００５１】
また、この発明の実施の形態１に係る映像監視システムによれば、撮像装置が映像データの符号化を復号一体のワンチップのハードウェアコーデックで実装している場合、符号化の機能（エンコーダ）のみ使用して、使用していなかった復号の機能（デコーダ）を追加の実装コストをかけずに有効利用することができるようになる。
【００５２】
また、この発明の実施の形態１に係る映像監視システムによれば、映像記録装置が受信した符号化映像データを送信元の撮像装置とは異なる撮像装置を送信先として特定することで、同一の撮像装置が撮像した２つまたは３つ以上の異なる時刻の映像データを、復号の機能を備えない映像表示装置に表示させることができる。
【００５３】
また、この発明の実施の形態１に係る映像監視システムによれば、映像記録装置が受信した符号化映像データを送信元の撮像装置とは異なる撮像装置を送信先として特定することで、映像監視システムに接続されるすべての撮像装置を符号化映像データの復号に対応した撮像装置に一度に置き換えなくても、符号化映像データの復号に対応しない撮像装置を一部残して運用することができる。
【００５４】
実施の形態２．
先に説明したこの発明の実施の形態１における映像監視システムは、撮像装置、映像記録装置および映像表示装置から構成されるものであったが、この発明の実施の形態２では、撮像装置と、映像記録装置と映像表示装置とが一体となった映像記録表示装置から構成される映像監視システムについて説明する。この映像記録装置と映像表示装置とが一体となった映像記録表示装置を映像監視装置とし、撮像装置と映像監視装置から映像監視システムを構成する。
【００５５】
図６は、この発明の実施の形態２に係る映像監視システムの一例を示す接続図である。図において、第１の撮像装置（撮像装置１００−１）から第Ｎの撮像装置（撮像装置１００−Ｎ）で示される複数の撮像装置がネットワークを介して映像記録表示装置４００に接続されており、撮像装置１００−１〜１００−Ｎの構成、動作は、この発明の実施の形態１における映像監視システムで説明した同一符号の撮像装置１００−１〜１００−Ｎと同様である。映像記録表示装置（映像監視装置）４００は、この発明の実施の形態１における映像監視システムで説明した映像記録装置２００と映像表示装置３００を一体とした構成をとり、映像記録装置２００と映像表示装置３００の両方の動作を行うものである。この図６では、図１の接続図の表記と同様に、送受信される映像データである通信用映像データ、送受信される符号化映像データである通信用符号化映像データの「通信用」を省略している。
【００５６】
図７は、この発明の実施の形態２に係る映像監視システムに接続される撮像装置、映像記録表示装置（映像監視装置）の一例を示すブロック構成図である。この図７では、説明上、撮像装置１台の接続構成として示し、図６の説明図に示した撮像装置、映像記録表示装置の間のネットワークは略記している。図において、撮像装置１００は、この発明の実施の形態１における映像監視システムで説明した同一符号の撮像装置１００と同様である。また、映像記録表示装置４００は、通信部（通信手段）４０１、記録部（記録手段）４０２、表示部（表示手段）４０３および制御部（制御手段）４０４から構成される。ここで、記録部４０２、表示部４０３の構成、動作は、この発明の実施の形態１における映像監視システムで説明した映像記録装置２００の記録部２０２、映像表示装置３００の表示部３０２の構成、動作と同様である。通信部４０１は、この発明の実施の形態１における映像監視システムで説明した映像記録装置２００の通信部２０１、映像表示装置３００の通信部３０１を一体化した構成で、その両方の動作を行う。制御部４０４は、この発明の実施の形態１における映像監視システムで説明した映像記録装置２００の制御部２０３、映像表示装置３００の制御部３０３を一体化した構成で、その両方の動作を行う。
【００５７】
すなわち、通信部４０１は、撮像装置から通信用符号化映像データと通信用映像データとを受信するとともに、読み出された通信用符号化映像データを送信先として特定された撮像装置に送信する。
【００５８】
また、制御部４０４は、記録部４０２が記録した通信用符号化映像データの蓄積情報を生成し、その蓄積情報に基づいて、入力手段を介して指定された所望の映像データに対応する通信用符号化映像データを送信する送信先の撮像装置を特定し、指定された所望の映像データに対応する通信用符号化映像データを記録部４０２に読み出させる。
【００５９】
このように、この発明の実施の形態２に係る映像監視システムは、符号化映像データを映像データに復号する能力を備えた撮像装置と、表示する所望の映像データを指定されると、映像データに対応する記録された符号化映像データを読み出し、特定した撮像装置に送信して復号させて、所望の映像データを受信して表示する映像記録表示装置（映像監視装置）から構成される。
【００６０】
以上、この発明の実施の形態２に係る映像監視システムによれば、この発明の実施の形態１における効果の説明に対して、映像記録装置と映像表示装置を一体化した映像記録表示装置（映像監視装置）と読み替えることで、同様な効果を得ることができる。
【００６１】
また、この発明の実施の形態２に係る映像監視システムによれば、映像記録装置と映像表示装置とを映像記録表示装置として一体に構成することで、映像記録装置と映像表示装置の接続で必要であった配線を不要とし、簡略化できる。
【００６２】
実施の形態３．
先に説明したこの発明の実施の形態１および実施の形態２は、いずれも撮像装置が撮像した映像データまたは復号した映像データを映像表示装置に送信するものであったが、この発明の実施の形態３では、撮像装置が撮像した映像データまたは復号した映像データを拡大または縮小して映像表示装置に送信する映像監視システムについて説明する。
【００６３】
図８は、この発明の実施の形態３に係る映像監視システムに接続される撮像装置、映像記録装置、映像表示装置の一例を示すブロック構成図である。図において、映像記録装置２００と映像表示装置３００は、図２に示したこの発明の実施の形態１における映像監視システムで説明した同一符号の映像記録装置２００と映像表示装置３００と同様であり、撮像装置１００では、記録用解像度変換部（記録用解像度変換手段）１１０、表示用解像度変換部（表示用解像度変換手段）１１１を構成に追加し、他の構成、動作は、この発明の実施の形態１における映像監視システムで説明した同一符号を付した撮像装置１００の構成、動作と同様である。
【００６４】
記録用解像度変換部１１０は、撮像部１０１が撮像した映像データを指定されたサイズに拡大または縮小して符号化部１０２に送る。符号化部１０２は、記録用解像度変換部１１０が拡大または縮小した映像データに対し、符号化することになる。
【００６５】
表示用解像度変換部１１１は、撮像部１０１が撮像した映像データと復号部１０６が復号した映像データとから映像選択部１０７が選択した映像データを指定されたサイズに拡大または縮小して映像生成部１０８に送る。映像生成部１０８は、表示用解像度変換部１１１が拡大または縮小した映像データに対し、一定量とするグルーピングやヘッダ情報付与などの処理を施し、通信に適した形式の通信用映像データに変換することになる。
【００６６】
なお、この映像データを所望のサイズに拡大または縮小する撮像装置は、この発明の実施の形態２の映像監視システムのように、映像記録装置と映像表示装置とが一体となった映像記録表示装置（映像監視装置）について適用しても構わない。
【００６７】
また、ここでは、記録用解像度変換部１１０、表示用解像度変換部１１１の両方を備える撮像装置１００について説明したが、いずれか一方の解像度変換部を備える撮像装置１００として、例えば表示用解像度変換部１１１のみを備える撮像装置１００を構成しても構わない。
【００６８】
撮像装置１００では、撮像部１０１に撮像する映像データの解像度を設定することで変更できるものもあるが、例えば、映像表示装置３００が直接表示しようとする映像データの解像度の設定を変更すると、符号化部１０２が符号化しようとする解像度も変わってしまうため、符号化部１０２、映像生成部１０８の前段で映像データの解像度の設定を変更することで、記録と表示で解像度を独立に扱うことができるようになる。
【００６９】
このように、この発明の実施の形態３に係る映像監視システムは、符号化映像データを映像データに復号する能力と、撮像した映像データと復号した映像データの解像度を変換する能力とを備えた撮像装置と、記録された符号化映像データの読み出しを映像表示装置に要求されると、特定した撮像装置に送信して復号させて映像表示装置に送る映像記録装置と、表示する所望の映像データを指定されると、映像記録装置に要求し、映像データに対応する符号化映像データを映像記録装置に読み出させ、さらに撮像装置に復号させた所望の映像データを受信して表示する映像表示装置とから構成される。
【００７０】
また、この発明の実施の形態３に係る映像監視システムは、符号化映像データを映像データに復号する能力と、撮像した映像データと復号した映像データの解像度を変換する能力とを備えた撮像装置と、表示する所望の映像データを指定されると、映像データに対応する記録された符号化映像データを読み出し、特定した撮像装置に送信して復号させて、所望の映像データを受信して表示する映像記録表示装置（映像監視装置）から構成される。
【００７１】
以上、この発明の実施の形態３に係る映像監視システムによれば、この発明の実施の形態１における効果の説明に対して、同様な効果を得ることができる。
【００７２】
また、この発明の実施の形態３に係る映像監視システムによれば、この発明の実施の形態２のように映像記録装置と映像表示装置を一体化した映像記録表示装置（映像監視装置）を適用することで、この発明の実施の形態２における効果の説明に対して、同様な効果を得ることができる。
【００７３】
また、この発明の実施の形態３に係る映像監視システムによれば、撮像装置１００の構成に、記録用解像度変換部１１０、表示用解像度変換部１１１を追加することで、映像表示装置３００は、復号され、かつ所望のサイズに拡大／縮小された映像データとして受信するので、拡大／縮小する能力を備える必要がなく、撮像装置の接続台数によらず、構成が簡素化され、低コスト化を図ることができる。
【００７４】
また、この発明の実施の形態３に係る映像監視システムによれば、記録用解像度変換部１１０が映像データのサイズを縮小することで、符号化部１０２が符号化した符号化映像データのデータサイズが小さくなり、また、表示用解像度変換部１１１が映像データのサイズを縮小することで、映像生成部１０８が変換する通信用映像データのデータサイズを小さくなることで、ネットワークに送信するデータ量が削減される効果がある。
【００７５】
なお、これまで説明した、この発明の実施の形態に係る映像監視システムにおける映像記録装置２００および映像表示装置３００、また映像記録表示装置（映像監視装置）４００は、コンピュータによって構成し、記憶媒体に格納したプログラムで動作させることもできる。
【００７６】
以上のように、この発明に係る映像監視システムによれば、映像記録装置に記録された符号化映像データを読み出して映像表示装置に表示する際に、映像表示装置は映像記録装置から読み出された符号化映像データを撮像装置が復号した映像データとして受信するので、映像表示装置が復号する能力を備える必要がなく、撮像装置の接続台数によらず、構成が簡素化され、低コスト化を図ることができる。
【００７７】
また、この発明に係る映像監視システムによれば、撮像装置が映像データの符号化を復号一体のワンチップのハードウェアコーデックで実装している場合、符号化の機能（エンコーダ）のみ使用して、使用していなかった復号の機能（デコーダ）を追加の実装コストをかけずに有効利用することができるようになる。
【００７８】
また、この発明の実施の形態に係る映像監視システムによれば、映像記録装置が受信した符号化映像データを送信元の撮像装置とは異なる撮像装置を送信先として特定することで、同一の撮像装置が撮像した２つまたは３つ以上の異なる時刻の映像データを、復号の機能を備えない映像表示装置に表示させることができる。
【００７９】
また、この発明の実施の形態に係る映像監視システムによれば、映像記録装置が受信した符号化映像データを送信元の撮像装置とは異なる撮像装置を送信先として特定することで、映像監視システムに接続されるすべての撮像装置を符号化映像データの復号に対応した撮像装置に一度に置き換えなくても、符号化映像データの復号に対応しない撮像装置を一部残して運用することができる。
【００８０】
また、この発明の実施の形態に係る映像監視システムによれば、映像記録装置と映像表示装置とを映像記録表示装置として一体に構成することで、映像記録装置と映像表示装置の接続で必要であった配線を不要とし、簡略化できる。
【００８１】
また、この発明の実施の形態に係る映像監視システムによれば、撮像装置の構成に、記録用解像度変換部、表示用解像度変換部を追加することで、映像表示装置は、復号され、かつ所望のサイズに拡大／縮小された映像データとして受信するので、拡大／縮小する能力を備える必要がなく、撮像装置の接続台数によらず、構成が簡素化され、低コスト化を図ることができる。
【００８２】
また、この発明の実施の形態に係る映像監視システムによれば、記録用解像度変換部が映像データのサイズを縮小することで、符号化部が符号化した符号化映像データのデータサイズが小さくなり、また、表示用解像度変換部が映像データのサイズを縮小することで、映像生成部が変換する通信用映像データのデータサイズを小さくなることで、ネットワークに送信するデータ量が削減される効果がある。
【産業上の利用可能性】
【００８３】
以上のように、本発明にかかる撮像装置、映像記録装置、映像表示装置、映像監視装置、映像監視システムおよび映像監視方法は、映像表示装置への復号能力の実装を不要とした構成に簡素化し、低コスト化する映像監視システムに有用であり、特に、小規模映像監視システムに適している。
【符号の説明】
【００８４】
１００、１００−１〜１００−Ｎ  撮像装置、１０１  撮像部、１０２  符号化部、１０３  データ生成部、１０４  通信部、１０５  データ復元部、１０６  復号部、１０７  映像選択部、１０８  映像生成部、１１０  記録用解像度変換部、１１１  表示用解像度変換部、２００  映像記録装置、２０１  通信部、２０２  記録部、２０３  制御部、３００  映像表示装置、３０１  通信部、３０２  表示部、３０３  制御部、４００  映像記録表示装置（映像監視装置）、４０１  通信部、４０２  記録部、４０３  表示部、４０４  制御部。
【図１】
2013076915.tif 000003
【図２】
2013076915.tif 000004
【図３】
2013076915.tif 000005
【図４】
2013076915.tif 000006
【図５】
2013076915.tif 000007
【図６】
2013076915.tif 000008
【図７】
2013076915.tif 000009
【図８】
2013076915.tif 000010
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像記録装置に送信し、前記映像記録装置から前記通信用符号化映像データを受信するとともに、通信用映像データを映像表示装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置。
【請求項２】
前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１記載の撮像装置。
【請求項３】
前記撮像部が生成した映像データの解像度を変換する記録用解像度変換部を備え、
前記符号化部は、前記記録用解像度変換部が解像度を変換した映像データを符号化する
ことを特徴とする請求項１記載の撮像装置。
【請求項４】
前記撮像部が生成した映像データの解像度を変換する表示用解像度変換部を備え、
前記映像生成部は、前記表示用解像度変換部が解像度を変換した映像データを前記通信用映像データに変換することを特徴とする請求項１記載の撮像装置。
【請求項５】
前記映像選択部が選択した映像データの解像度を変換する表示用解像度変換部を備え、
前記映像生成部は、前記表示用解像度変換部が解像度を変換した映像データを前記通信用映像データに変換することを特徴とする請求項２記載の撮像装置。
【請求項６】
撮像装置から通信用符号化映像データを受信するとともに、読み出された通信用符号化映像データを送信先として特定された撮像装置に送信する通信部と、
前記受信した通信用符号化映像データを記録し、映像表示装置から要求された通信用符号化映像データを読み出す記録部と、
前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部と
を備える映像記録装置。
【請求項７】
前記制御部は、前記記録部から読み出す通信用符号化映像データの送信元の撮像装置を送信先の撮像装置として特定することを特徴とする請求項６記載の映像記録装置。
【請求項８】
前記制御部は、前記記録部から読み出す通信用符号化映像データの送信元とは異なる撮像装置を送信先の撮像装置として特定することを特徴とする請求項６記載の映像記録装置。
【請求項９】
映像記録装置が生成した通信用符号化映像データの蓄積情報に基づいて、入力手段を介して指定された所望の映像データに対応する通信用符号化映像データを前記映像記録装置に要求する制御部と、
前記制御部で要求した前記通信用符号化映像データが撮像装置によって復号された通信用映像データを、前記撮像装置から受信する通信部と、
前記通信部で受信した前記通信用映像データから得た映像データを表示する表示部と
を備える映像表示装置。
【請求項１０】
撮像装置から通信用符号化映像データと通信用映像データとを受信するとともに、読み出された通信用符号化映像データを送信先として特定された撮像装置に送信する通信部と、
前記受信した通信用符号化映像データを記録し、記録された通信用符号化映像データを読み出す記録部と、
前記受信した通信用映像データから得た映像データを表示する表示部と、
前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に読み出させる制御部と
を備える映像監視装置。
【請求項１１】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像記録装置に送信し、前記映像記録装置から前記通信用符号化映像データを受信するとともに、通信用映像データを映像表示装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置と、
前記撮像装置から通信用符号化映像データを受信するとともに、読み出された通信用符号化映像データを送信先として特定された撮像装置に送信する通信部と、
前記受信した通信用符号化映像データを記録し、前記映像表示装置から要求された通信用符号化映像データを読み出す記録部と、
前記記録した通信用符号化映像データの蓄積情報を生成し、前記蓄積情報に基づいて、前記読み出された通信用符号化映像データを送信する前記送信先の撮像装置を特定し、前記要求された通信用符号化映像データを前記記録部に読み出させる制御部と
を備える前記映像記録装置と、
前記撮像装置から通信用映像データを受信する通信部と、
前記受信した通信用映像データから得た映像データを表示する表示部と、
前記映像記録装置が生成した通信用符号化映像データの蓄積情報に基づいて、入力手段を介して指定された所望の映像データに対応する通信用符号化映像データを前記映像記録装置に要求する制御部と
を備える前記映像表示装置とから構成される映像監視システム。
【請求項１２】
前記撮像装置は、前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１１記載の映像監視システム。
【請求項１３】
映像を取り込み、映像データを生成する撮像部と、
前記撮像部が生成した映像データを符号化し、符号化映像データを生成する符号化部と、
前記生成した符号化映像データを通信用符号化映像データに変換するデータ生成部と、
前記変換した通信用符号化映像データを映像監視装置に送信し、前記映像監視装置から前記通信用符号化映像データを受信するとともに、通信用映像データを前記映像監視装置へ送信する通信部と、
前記受信した通信用符号化映像データを符号化映像データに逆変換するデータ復元部と、
前記逆変換した符号化映像データを復号して映像データを生成する復号部と、
前記復号部が生成した映像データを前記通信用映像データに変換する映像生成部と
を備える撮像装置と、
前記撮像装置から通信用符号化映像データと通信用映像データとを受信するとともに、読み出された通信用符号化映像データを送信先として特定された撮像装置に送信する通信部と、
前記受信した通信用符号化映像データを記録し、記録された通信用符号化映像データを読み出す記録部と、
前記受信した通信用映像データから得た映像データを表示する表示部と、
前記記録した通信用符号化映像データの蓄積情報を生成し、前記蓄積情報に基づいて、入力手段を介して指定された所望の映像データに対応する通信用符号化映像データを送信する前記送信先の撮像装置を特定し、前記指定された所望の映像データに対応する通信用符号化映像データを前記記録部に要求する制御部と
を備える映像監視装置とから構成される映像監視システム。
【請求項１４】
前記撮像装置は、前記撮像部が生成した映像データと前記復号部が生成した映像データとから映像データを選択する映像選択部を備え、
前記映像生成部は、前記映像選択部が選択した映像データを前記通信用映像データに変換することを特徴とする請求項１３記載の映像監視システム。
【請求項１５】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像記録装置に送信するステップと、
前記映像記録装置が、前記撮像装置から通信用符号化映像データを受信するステップと、
前記受信した通信用符号化映像データを記録するステップと、
前記記録した通信用符号化映像データの蓄積情報を生成するステップと、
映像表示装置が、前記映像記録装置が生成した通信用符号化映像データの蓄積情報に基づいて、入力手段を介して指定された所望の映像データに対応する通信用符号化映像データを前記映像記録装置に要求するステップと、
前記映像記録装置が、前記蓄積情報に基づいて、前記読み出された通信用符号化映像データを送信する送信先の撮像装置を特定し、前記映像表示装置から要求された通信用符号化映像データを読み出すステップと、
前記読み出した通信用符号化映像データを前記送信先として特定された撮像装置に送信するステップと、
前記撮像装置が、前記映像記録装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを前記通信用映像データに変換するステップと、
前記変換した通信用映像データを前記映像表示装置へ送信するステップと、
前記映像表示装置が、前記撮像装置から通信用映像データを受信するステップと、
前記受信した通信用映像データから得た映像データを表示するステップと
を有する映像監視方法。
【請求項１６】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像監視装置に送信するステップと、
前記映像監視装置が、前記撮像装置から通信用符号化映像データを受信するステップと、
前記受信した通信用符号化映像データを記録するステップと、
前記記録した通信用符号化映像データの蓄積情報を生成するステップと、
前記生成した蓄積情報に基づいて、入力手段を介して指定された所望の映像データに対応する通信用符号化映像データを送信する送信先の撮像装置を特定し、前記指定された所望の映像データに対応する通信用符号化映像データを読み出すステップと、
前記読み出した通信用符号化映像データを前記送信先として特定された撮像装置に送信するステップと、
前記撮像装置が、前記映像監視装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを前記通信用映像データに変換するステップと、
前記変換した通信用映像データを前記映像監視装置へ送信するステップと、
前記映像監視装置が、前記撮像装置から通信用映像データを受信するステップと、
前記受信した通信用映像データから得た映像データを表示するステップと
を有する映像監視方法。
【手続補正書】
【提出日】平成26年11月26日(2014.11.26)
【手続補正１】
【補正対象書類名】特許請求の範囲
【補正対象項目名】請求項１５
【補正方法】変更
【補正の内容】
【請求項１５】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像記録装置に送信するステップと、
前記映像記録装置が、前記撮像装置から通信用符号化映像データを受信するステップと、
前記受信した通信用符号化映像データを記録するステップと、
前記記録した通信用符号化映像データの蓄積情報を生成するステップと、
映像表示装置が、前記映像記録装置が生成した通信用符号化映像データの蓄積情報に基づいて、入力手段を介して指定された所望の映像データに対応する通信用符号化映像データを前記映像記録装置に要求するステップと、
前記映像記録装置が、前記蓄積情報に基づいて、前記映像表示装置から要求された通信用符号化映像データを送信する送信先の撮像装置を特定し、前記映像表示装置から要求された通信用符号化映像データを読み出すステップと、
前記読み出した通信用符号化映像データを前記送信先として特定された撮像装置に送信するステップと、
前記撮像装置が、前記映像記録装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを通信用映像データに変換するステップと、
前記変換した通信用映像データを前記映像表示装置へ送信するステップと、
前記映像表示装置が、前記撮像装置から通信用映像データを受信するステップと、
前記受信した通信用映像データから得た映像データを表示するステップと
を有する映像監視方法。
【手続補正２】
【補正対象書類名】特許請求の範囲
【補正対象項目名】請求項１６
【補正方法】変更
【補正の内容】
【請求項１６】
撮像装置が、映像を取り込み、映像データを生成するステップと、
前記生成した映像データを符号化し、符号化映像データを生成するステップと、
前記生成した符号化映像データを通信用符号化映像データに変換するステップと、
前記変換した通信用符号化映像データを映像監視装置に送信するステップと、
前記映像監視装置が、前記撮像装置から通信用符号化映像データを受信するステップと、
前記受信した通信用符号化映像データを記録するステップと、
前記記録した通信用符号化映像データの蓄積情報を生成するステップと、
前記生成した蓄積情報に基づいて、入力手段を介して指定された所望の映像データに対応する通信用符号化映像データを送信する送信先の撮像装置を特定し、前記指定された所望の映像データに対応する通信用符号化映像データを読み出すステップと、
前記読み出した通信用符号化映像データを前記送信先として特定された撮像装置に送信するステップと、
前記撮像装置が、前記映像監視装置から前記通信用符号化映像データを受信するステップと、
前記受信した通信用符号化映像データを符号化映像データに逆変換するステップと、
前記逆変換した符号化映像データを復号して映像データを生成するステップと、
前記復号した映像データを通信用映像データに変換するステップと、
前記変換した通信用映像データを前記映像監視装置へ送信するステップと、
前記映像監視装置が、前記撮像装置から通信用映像データを受信するステップと、
前記受信した通信用映像データから得た映像データを表示するステップと
を有する映像監視方法。
【国際調査報告】
2013076915.tif 000011
2013076915.tif 000012
2013076915.tif 000013
2013076915.tif 000014